(57)【要約】【課題】フラッシュライトに用いることのできる発光器を一体的に備えて取扱い操作性に優れるカメラ付き携帯電話機を提供する。【解決手段】携帯電話機２０には、画像を撮影するカメラ２２と、カメラ２２に近接して配置される発光器２３とが、機器本体２１に一体的に設けられる。発光器２３は、赤色，緑色および青色ダイオードを含んで構成される。カメラ２２のシャッタが開くタイミングに同期させて赤色，緑色および青色ダイオードを同時に発光させることによって、発光器２３はフラッシュライトとして機能する。このように、フラッシュの必要有無に応じてフラッシュライトを機器本体２１に着脱する繁雑さを無くすことができるので、取扱い操作性が向上される。【選択図】　　　図３
2004048469.tif 000002
【特許請求の範囲】
【請求項１】
画像を撮影するカメラと、
前記カメラが設けられる機器本体と、
前記機器本体に一体的に設けられ、前記カメラによって撮像するとき、フラッシュライトに用いられる発光器とを含むことを特徴とするカメラ付きモバイル機器。
【請求項２】
前記発光器から放射される光の放射方向前方に配置されて前記機器本体に設けられるパネルをさらに含み、
前記パネルの表面には、予め定められる方向に延びる凹凸条が形成されることを特徴とする請求項１記載のカメラ付きモバイル機器。
【請求項３】
前記発光器から放射される光の放射方向前方に配置されて前記機器本体に設けられるパネルをさらに含み、
前記パネルの表面には、予め定められる方向と予め定められる方向に交わる方向とに延びる凹凸条が形成されることを特徴とする請求項１記載のカメラ付きモバイル機器。
【請求項４】
前記発光器は、
赤色ダイオード、緑色ダイオードおよび青色ダイオードを含んで構成されることを特徴とする請求項１〜３のいずれかに記載のカメラ付きモバイル機器。
【請求項５】
前記モバイル機器は、
携帯電話機であることを特徴とする請求項１〜４のいずれかに記載のカメラ付きモバイル機器。
【発明の詳細な説明】
【０００１】
【発明の属する技術分野】
本発明は、たとえばカメラを備える携帯電話機などのカメラ付きモバイル機器に関する。
【０００２】
【従来の技術】
モバイル機器の１つであるたとえば携帯電話機は、本来の電話機としての機能である通話にとどまらず、各種の情報検索や電子メールの送受信端末としての機能も備えられるようになり、また昨今では人物や風景などを含む画像情報の通信まで行うことが可能である。このような画像情報の通信は、画像を撮影する手段であるカメラを備える携帯電話機によって実現される。携帯電話機に備わるカメラによって画像を撮影するときに光量が不足している状態では、充分に識別することのできる画像を撮影することができないので、フラッシュライトを用いて撮影されている。
【０００３】
図１６は、従来のカメラ付き携帯電話機１の構成を簡略化して示す図である。図１６（ａ）は従来のカメラ付き携帯電話機１の背面図であり、図１６（ｂ）は従来のカメラ付き携帯電話機１の左側面図であり、図１６（ｃ）は従来のカメラ付き携帯電話機１の正面図である。従来のカメラ付き携帯電話機１は、扁平直方体の外観形状を有する機器本体２と、機器本体２に設けられる各部であって、機器本体２の正面側の下部に設けられる操作入力部３と、操作入力部３の下方に設けられる送話部４と、操作入力部３の上方に設けられる表示部５と、表示部５の上方に設けられる受話部６と、機器本体２から上方に突出して設けられるアンテナ７と、機器本体２の背面側に設けられるカメラ８と、機器本体２にいわゆる外付けで装着されるフラッシュライト９とを含んで構成される。
【０００４】
このフラッシュライト９は、一般的にキセノン管で製作されていることが多く、カメラ付き携帯電話機１の機器本体２に対して着脱可能に設けられる。したがって、撮像時に光量が充分であるとき、フラッシュライト９を機器本体２に装着することなく撮影する。しかしながら、撮像時に光量が不足するときには、たとえば鞄の中に収納されているフラッシュライト９を取出して機器本体２に装着し、フラッシュライト９を発光させて撮影しなければならない。
【０００５】
フラッシュライト９をカメラ付き携帯電話機１の機器本体２に装着したままの状態では、通話をするときにフラッシュライト９が邪魔になり、また衣服のポケットなどにカメラ付き携帯電話機１を収納しようとしてもフラッシュライト９が引っ掛かりスムースに出入させることができず、フラッシュライト９や機器本体２に破損が生じることもある。このため、フラッシュライト９を用いる撮影が終了すると、その都度機器本体２からフラッシュライト９を離脱させ、鞄などに収納保管しなければならず、取扱い操作が極めて煩瑣である。
【０００６】
さらに、普段は機器本体２からフラッシュライト９を離脱させて鞄の中などに収納しているので、光量が少なくフラッシュライト９を必要とする撮影対象に突然遭遇したような場合、フラッシュライト９を鞄から取出し、機器本体２に装着していたのでは、シャッターチャンスを逃してしまうという問題がある。このようにシャッターチャンスを逸するだけでなく、機器本体２に対する着脱や鞄などからの出入れを繰返しているうちにフラッシュライト９を亡失してしまうことも起こり得る。
【０００７】
【発明が解決しようとする課題】
本発明の目的は、フラッシュライトに用いることのできる発光器を一体的に備えて取扱い操作性に優れるとともに、撮影される画像品質にも優れるカメラ付きモバイル機器を提供することである。
【０００８】
【課題を解決するための手段】
本発明は、画像を撮影するカメラと、
前記カメラが設けられる機器本体と、
前記機器本体に一体的に設けられ、前記カメラによって撮像するとき、フラッシュライトに用いられる発光器とを含むことを特徴とするカメラ付きモバイル機器である。
【０００９】
本発明に従えば、モバイル機器の機器本体には、カメラとフラッシュライトに用いられる発光器とが設けられる。発光器は、機器本体に一体的に設けられるので、フラッシュを必要とする撮像時には機器本体に発光器を装着し、不用時には機器本体から離脱させるという繁雑な取扱い操作をする必要がなくなるとともに、衣服のポケットなどにも引掛かり等を生じることなく容易に出入させることができる。また発光器を機器本体に一体的に設けることによって、撮像対象が光量不足の場合であっても、即時にフラッシュを使用できるので、シャッターチャンスを逸するというようなことがなく、さらに機器本体に対する着脱やたとえば鞄などからの出入れの繰返しによる発光器の亡失を防ぐことができる。
【００１０】
また本発明は、前記発光器から放射される光の放射方向前方に配置されて前記機器本体に設けられるパネルをさらに含み、
前記パネルの表面には、予め定められる方向に延びる凹凸条が形成されることを特徴とする。
【００１１】
本発明に従えば、機器本体には、発光器から放射される光の放射方向前方に配置されてパネルが設けられる。このことによって、発光器は、パネルによって覆われる状態になり露出を免れるので、モバイル機器の外観上の見栄えが良くなる。またパネルの表面に形成される凹凸条が、発光器から放射される光を均一に拡散させて光むらを抑制するので、撮影される画像の品質を向上することができる。
【００１２】
また本発明は、前記発光器から放射される光の放射方向前方に配置されて前記機器本体に設けられるパネルをさらに含み、
前記パネルの表面には、予め定められる方向と予め定められる方向に交わる方向とに延びる凹凸条が形成されることを特徴とする。
【００１３】
本発明に従えば、機器本体には、発光器から放射される光の放射方向前方に配置されてパネルが設けられる。このことによって、発光器は、パネルによって覆われる状態になり露出を免れるので、モバイル機器の外観上の見栄えが良くなる。またパネルの表面に、予め定められる方向と予め定められる方向に交わる方向とに形成される凹凸条が、発光器から放射される光を複数の方向に均一に拡散させることによって、たとえばモアレ模様などの干渉縞の発生が防止されるので、撮影される画像の品質を一層向上することができる。
【００１４】
また本発明は、前記発光器は、赤色ダイオード、緑色ダイオードおよび青色ダイオードを含んで構成されることを特徴とする。
【００１５】
本発明に従えば、発光器は、赤色ダイオード、緑色ダイオードおよび青色ダイオードを含んで構成される。赤色ダイオード、緑色ダイオードおよび青色ダイオードは、たとえば信号受信の表示などを目的として機器本体に設けられている。したがって、赤色ダイオード、緑色ダイオードおよび青色ダイオードを機器本体上の一個所に集約して設け、必要時にこれらを一斉に発光させることによって、フラッシュライトとして使用することができる。このように、赤色ダイオード、緑色ダイオードおよび青色ダイオードをフラッシュライトに兼用することによって、フラッシュライトを構成するための部品を別途準備する必要がなくなり、また前記部品を設ける空間の取合いの問題を解決することができる。このように、部品点数の増加が防止されるので、モバイル機器の小型化に寄与することができるとともに、製造コスト削減に寄与することができる。
【００１６】
また本発明は、前記モバイル機器は、携帯電話機であることを特徴とする。
本発明に従えば、モバイル機器は、携帯電話機である。カメラ付き携帯電話機に、フラッシュライトとして使用することのできる発光器が一体的に設けられるので、取扱い操作性に優れるとともに撮影画像の品質にも優れた利便性と高性能とを具備するカメラ付き携帯電話機の提供が実現される。
【００１７】
【発明の実施の形態】
本実施の形態では、多種類存在するカメラ付きモバイル機器のうち、カメラ付き携帯電話機について例示する。図１は本発明の実施の第１形態であるカメラ付き携帯電話機２０の正面図であり、図２は図１に示すカメラ付き携帯電話機２０の右側面図であり、図３はカメラ付き携帯電話機２０の背面図であり、図４は図３の切断面線ＩＶ−ＩＶから見た断面図であり、図５は図３の切断面線Ｖ−Ｖから見た断面図である。
【００１８】
カメラ付き携帯電話機２０（以後、携帯電話機と略称する）は、画像を撮影するカメラ２２と、カメラ２２が設けられる機器本体２１と、機器本体２１に一体的に設けられカメラ２２によって撮像するとき、フラッシュライトに用いられる発光器２３とを含んで構成される。
【００１９】
機器本体２１は、略直方体形状を有する筐体である第１本体部２４と第２本体部２５とを含み、第１および第２本体部２４，２５は、それぞれ長手方向の一端部に設けられ相互に揺動変位可能に支持する揺動機構２６によって係接される。
【００２０】
第１本体部２４の正面側には、たとえば液晶ディスプレイ（ＬＣＤ）からなる表示部２７と、表示部２７の上方に受話部２８とが設けられる。第１本体部２４の背面側には、前述のカメラ２２および発光器２３と、第１本体部２４の長手方向周縁部付近において長手方向に対して略平行方向に延びて上方に突出するアンテナ２９とが設けられる。
【００２１】
第２本体部２５の正面側には、複数の操作キー３０が行列状に配置されて構成される操作入力部３１と、操作入力部３１の下方に送話部３２とが設けられる。第２本体部２５の背面側には、バッテリ収納部を覆う蓋部材である電池蓋３３が着脱可能なように装着される。
【００２２】
第１本体部２４と第２本体部２５とを揺動可能に係接する揺動機構２６は、いわゆるヒンジであり、第１および第２本体部２４，２５を係接するピン部材が回転軸を構成するので、第１部材２４と第２部材２５とは互いに回転軸まわりに角変位すなわち揺動可能である。このことによって、携帯電話機２０を折り畳むことが可能であり、第１および第２本体部２４，２５を展開した時に比べて折り畳んだ時には、長手方向の長さを約２分の１にすることができる。
【００２３】
再び第１本体部２４に戻り、第１本体部２４に設けられる前述のカメラ２２は、レンズ部３５と、たとえばＣＣＤ（Ｃｈａｒｇｅ　Ｃｏｕｐｌｅｄ　Ｄｅｖｉｃｅ）などからなる撮像素子部３６とを含む。撮像素子部３６とレンズ部３５とは、光軸を合わせて配置され、第１本体部２４への収納時には背面側に向けて配設される。
【００２４】
第１本体部２４に一体的に設けられる前述の発光器２３は、赤色ダイオード、緑色ダイオードおよび青色ダイオードを含む構成であり、これら３つのダイオードが、相互に近接し１箇所に集約されてカメラ２２の隣に配設される。撮像以外のとき、たとえば赤色ダイオードは、バッテリに充電中であることを示す表示灯として、緑色ダイオードは、電話の着信があったことを示す表示灯として、青色ダイオードは、電子メールの着信があったことを示す表示灯として用いられてもよい。
【００２５】
第１本体部２４の筐体内部には、回路基板３４が設けられる。回路基板３４には、制御手段である処理回路および前述の第１および第２本体部２４，２５に設けられる各部と処理回路とを結ぶ導電路などが設けられる。前述のカメラ２２および操作入力部３１などは、フレキシブルプリント基板によって回路基板３４に接続される。
【００２６】
回路基板３４には、さらにアンテナ２９に接続される送受信回路および増幅回路などが設けられ、携帯電話機２０は、前述の処理回路に予めストアされる動作プログラムに従って電話機として動作する。すなわち、アンテナ２９で受信された通話受信信号が送受信回路等を経て受話部２８に備わるスピーカによって音声として再生され、送話音声が送話部３２に備わるマイクロフォンによって電気信号に変換され送受信回路等を経てアンテナ２９から送信される。
【００２７】
前述した電話機本来の機能動作のように、機器本体２１に設けられる各部は、回路基板３４の導電路を介して接続される制御手段によって、単独および／または連係して動作制御される。したがって、たとえば操作入力部３１に備わるＦキー３７を押下することによって入力される信号に従い、カメラ２２のシャッタが開くように動作するプログラムを回路基板３４の処理回路に予め設定しておくことができる。また、たとえばＦキー３７とＮｏ．１キー３８とを同時に押下することによって入力される信号に従い、Ｆキー３７とＮｏ．１キー３８とが同時に押下された後にＦキー３７が押下されたときには、前述のカメラ２２のシャッタが開くととともに、発光器２３を構成する赤色，緑色および青色ダイオードが同時に発光するいわゆるフラッシュモードになるように、動作プログラムを回路基板３４の処理回路に予め設定しておくことができる。
【００２８】
このことによって、撮像対象が光量不足であるとき、まずＦキー３７とＮｏ．１キー３８とを同時に押下してフラッシュモードの撮影条件にセットし、次いでＦキー３７を押下することによってカメラ２２のシャッタを開くとともに、発光器２３の赤色，緑色および青色ダイオードを同時に発光させ、この光をフラッシュとして用いるフラッシユ撮影をすることが可能になる。
【００２９】
なお、携帯電話機２０は、前述の表示部２７に撮像対象を表示することが可能に構成されるので、表示部２７に表示される撮像対象を観察することによって、操作者は、前述のフラッシュモードに設定することの要否を判断することができる。
【００３０】
図６は本発明の実施の第２形態である携帯電話機４０の部分背面図であり、図７は図６の切断面線ＶＩＩ−ＶＩＩから見た断面図であり、図８は図６の切断面線ＶＩＩＩ−ＶＩＩＩから見た断面図である。
【００３１】
本実施の形態の携帯電話機４０は、実施の第１形態の携帯電話機２０に類似し、対応する部分については同一の参照符号を付して説明を省略する。携帯電話機４０において注目すべきは、発光器２３から放射される光４１の放射方向前方に配置されて機器本体２１の第１本体部２４に設けられるパネル４２をさらに含み、パネル４２の表面には、予め定められる方向、ここでは第１本体部２４の短手方向に平行な方向に延びる凹凸条４５が形成されることである。
【００３２】
図９は図７の断面図に示すパネル４２の部分拡大図であり、図１０は図８の断面図に示すパネル４２の部分拡大図である。
【００３３】
パネル４２は、透光性を有する薄板部材である。パネル４２には、切断面線ＶＩＩＩ−ＶＩＩＩから見た断面形状が、二等辺三角形の山部４３と谷部４４とが隣接するように凹凸条４５が形成される。このパネル４２は、発光器２３を覆うように第１本体部２４に設けられる。したがって、携帯電話機４０を背面方向から観るとき、露出した状態の発光器２３ではなく、発光器２３を覆うパネル４２を観ることになるので、携帯電話機４０の見栄えを向上することができる。
【００３４】
また発光器２３から放射される光は、パネル４２に形成される凹凸条４５の凸部４３および凹部４４で散乱反射されることによって均一に拡散され、撮像対象に照射される。このことによって、指向性の強い光が撮像対象に照射される場合に比べて、むらのない照明効果を得ることができるので、撮影される画像の品質を向上することができる。
【００３５】
図１１は本発明の実施の第３形態である携帯電話機５０を示す部分背面図であり、図１２は図１１の切断面線ＸＩＩ−ＸＩＩから見た断面図であり、図１３は図１１の切断面線ＸＩＩＩ−ＸＩＩＩから見た断面図である。本実施の形態の携帯電話機５０は、実施の第２形態の携帯電話機４０に類似し、対応する部分については同一の参照符号を付して説明を省略する。本実施の携帯電話機５０は、発光器２３から放射される光４１の放射方向前方に配置されて機器本体２１の第１本体部２４に設けられるパネル５１をさらに含む。このパネル５１の表面には、第１本体部２４の短手方向に平行方向に延びる凹凸条５７と、短手方向に対して直交する長手方向に平行方向に延びる凹凸条５４とが形成される。すなわち凹凸条５４，５７は、９０度の角度で交わる２つの方向に延びるように形成される。
【００３６】
図１４は図１２の断面図に示すパネル５１の部分拡大図であり、図１５は図１３の断面図に示すパネル５１の部分拡大図である。パネル５１には、切断面線ＸＩＩ−ＸＩＩから見た断面形状が、二等辺三角形の凸部５２と凹部５３とが隣接するように凹凸条５４が形成され、切断面線ＸＩＩＩ−ＸＩＩＩから見た断面形状が、二等辺三角形の凸部５５と凹部５６とが隣接するように凹凸条５７が形成される。このパネル５１は、実施の第２形態の携帯電話機４０と同様に、発光器２３を覆うように第１本体部２４に設けられる。
【００３７】
携帯電話機５０では、第１本体部２４に備わる発光器２３から放射される光が、パネル５１の表面に直交して形成される凹凸条５４，５７で散乱反射されて、複数の方向に均一に拡散される。このことによって、たとえばモアレ模様などの干渉縞の発生が防止されるので、撮影される画像の品質を一層向上することができる。
【００３８】
以上に述べたように、本実施の形態では、モバイル機器は、携帯電話機であるけれども、これに限定されることなく、たとえばカメラ付きノート型パーソナルコンピュータなどであってもよい。またパネル５１に形成される凹凸条５４，５７は、互いに９０度に交わる方向に延びて形成されるけれども、これに限定されることなく、凹凸条が交わる角度は、６０度などのように９０度以外の任意の角度であってもよい。またパネル４２，５１に形成される凹凸条４５，５４，５７は、断面形状が二等辺三角形の溝状であるけれども、これに限定されることなく、断面形状が矩形の溝状であってもよく、パネルの内外方空間が連通する格子状であってもよい。
【００３９】
【発明の効果】
本発明によれば、モバイル機器の機器本体には、カメラとフラッシュライトに用いられる発光器とが設けられる。発光器は、機器本体に一体的に設けられるので、フラッシュを必要とする撮像時には機器本体に発光器を装着し、不用時には機器本体から離脱させるという繁雑な取扱い操作をする必要がなくなるとともに、衣服のポケットなどにも引掛かり等を生じることなく容易に収納することができる。また発光器を機器本体に一体的に設けることによって、撮像対象が光量不足の場合であっても、即時にフラッシュを使用できるので、シャッターチャンスを逸するというようなことがなく、さらに機器本体に対する着脱やたとえば鞄などからの出入れの繰返しによる発光器の亡失を防ぐことができる。
【００４０】
また本発明によれば、機器本体には、発光器から放射される光の放射方向前方に配置されてパネルが設けられる。このことによって、発光器は、パネルによって覆われる状態になり露出を免れるので、モバイル機器の外観上の見栄えが良くなる。またパネルの表面に形成される凹凸条が、発光器から放射される光を均一に拡散させて光むらを抑制するので、撮影される画像の品質を向上することができる。
【００４１】
また本発明によれば、機器本体には、発光器から放射される光の放射方向前方に配置されてパネルが設けられる。このことによって、発光器は、パネルによって覆われる状態になり露出を免れるので、モバイル機器の外観上の見栄えが良くなる。またパネルの表面に、予め定められる方向と予め定められる方向に交わる方向とに形成される凹凸条が、発光器から放射される光を複数の方向に均一に拡散させることによって、たとえばモアレ模様などの干渉縞の発生が防止されるので、撮影される画像の品質を一層向上することができる。
【００４２】
また本発明によれば、発光器は、赤色ダイオード、緑色ダイオードおよび青色ダイオードを含んで構成される。赤色ダイオード、緑色ダイオードおよび青色ダイオードは、たとえば信号受信の表示などを目的として機器本体に設けられている。したがって、赤色ダイオード、緑色ダイオードおよび青色ダイオードを機器本体上の一個所に集約して設け、必要時にこれらを一斉に発光させることによって、フラッシュライトとして使用することができる。このように、赤色ダイオード、緑色ダイオードおよび青色ダイオードをフラッシュライトに兼用することによって、フラッシュライトを構成するための部品を別途準備する必要がなくなり、また前記部品を設ける空間の取合いの問題を解決することができる。このように、部品点数の増加が防止されるので、モバイル機器の小型化に寄与することができるとともに、製造コスト削減に寄与することができる。
【００４３】
また本発明によれば、モバイル機器は、携帯電話機である。カメラ付き携帯電話機に、フラッシュライトとして使用することのできる発光器が一体的に設けられるので、取扱い操作性に優れるとともに撮影画像の品質にも優れた利便性と高性能とを具備するカメラ付き携帯電話機の提供が実現される。
【図面の簡単な説明】
【図１】本発明の実施の第１形態であるカメラ付き携帯電話機２０の正面図である。
【図２】図１に示すカメラ付き携帯電話機２０の右側面図である。
【図３】カメラ付き携帯電話機２０の背面図である。
【図４】図３の切断面線ＩＶ−ＩＶから見た断面図である。
【図５】図３の切断面線Ｖ−Ｖから見た断面図である。
【図６】本発明の実施の第２形態である携帯電話機４０の部分背面図である。
【図７】図６の切断面線ＶＩＩ−ＶＩＩから見た断面図である。
【図８】図６の切断面線ＶＩＩＩ−ＶＩＩＩから見た断面図である。
【図９】図７の断面図に示すパネル４２の部分拡大図である。
【図１０】図８の断面図に示すパネル４２の部分拡大図である。
【図１１】本発明の実施の第３形態である携帯電話機５０を示す部分背面図である。
【図１２】図１１の切断面線ＸＩＩ−ＸＩＩから見た断面図である。
【図１３】図１１の切断面線ＸＩＩＩ−ＸＩＩＩから見た断面図である。
【図１４】図１２の断面図に示すパネル５１の部分拡大図である。
【図１５】図１３の断面図に示すパネル５１の部分拡大図である。
【図１６】従来のカメラ付き携帯電話機１の構成を簡略化して示す図である。
【符号の説明】
２０，４０，５０　カメラ付き携帯電話機
２１　機器本体
２２　カメラ
２３　発光器
２７　表示部
２８　受話部
２９　アンテナ
３１　操作入力部
３２　送話部
３４　回路基板
４５，５４，５７　凹凸条
【図１】
2004048469.tif 000003
【図２】
2004048469.tif 000004
【図３】
2004048469.tif 000005
【図４】
2004048469.tif 000006
【図５】
2004048469.tif 000007
【図６】
2004048469.tif 000008
【図７】
2004048469.tif 000009
【図８】
2004048469.tif 000010
【図９】
2004048469.tif 000011
【図１０】
2004048469.tif 000012
【図１１】
2004048469.tif 000013
【図１２】
2004048469.tif 000014
【図１３】
2004048469.tif 000015
【図１４】
2004048469.tif 000016
【図１５】
2004048469.tif 000017
【図１６】
2004048469.tif 000018